(57)【要約】      （修正有）【課題】清掃対象面の凹凸によく追従し得、水分等により清掃対象面が濡れていて清掃対象面に吸着したような状態の毛髪等の毛類や塵埃等をも逃がさずに掃くことができ、毛髪等の毛類が多量に落下し、且つ濡れることも生じがちな床面の清掃に適する掃き掃除用清掃具を提供する。【解決手段】  掃き掃除用清掃具１０は、掃部１２と、掃部１２を保持する保持部１４と、保持部１４に対し基部が連結された柄部１６を有し、柄部１６の端部には把持部１６ａが設ける。掃部１２は、独立発泡のゴム状材料製の長方形板状をなす。掃部１２の両側面はフィルムにより被覆する。掃部１２の直線状の下端縁部が、掃き掃除において清掃対象面に接する掃縁部１２ａである。【選択図】図１
0003169195.tif 000002
【実用新案登録請求の範囲】
【請求項１】
独立発泡のゴム状材料製の板状をなす掃部と、掃部により掃き掃除を行うための把持部を有し、
前記掃部は、直線状の端縁部を、掃き掃除において清掃対象面に接する掃縁部として有することを特徴とする掃き掃除用清掃具。
【請求項２】
掃部の側面の一方又は両方がフィルムにより被覆されている請求項１記載の掃き掃除用清掃具。
【請求項３】
上記掃部を構成する独立発泡のゴム状材料は、硬度が８乃至６０であり、２５％圧縮荷重が３０乃至１３０ｋＰａである請求項１又は２記載の掃き掃除用清掃具。
【請求項４】
基部が掃部に連結された柄部を備え、その柄部に把持部を有する請求項１、２又は３記載の掃き掃除用清掃具。
【請求項５】
柄部の基部が、掃部の厚さ方向の回動軸線のまわりに回動し得るように掃部に連結された請求項４記載の掃き掃除用清掃具。
【請求項６】
柄部の軸線方向が、板状をなす掃部の両側面に対し平行状をなすものである請求項４又は５記載の掃き掃除用清掃具。
【請求項７】
主として毛類を掃くためのものである請求項１乃至６の何れか１項に記載の掃き掃除用清掃具。
【考案の詳細な説明】
【技術分野】
【０００１】
本考案は、ゴム状材料製の板状をなす掃部を備えた掃き掃除用清掃具に関する。
【背景技術】
【０００２】
特開平８−１８７２１１号公報（特許文献１）には、スポンジ製の払掃体と、該払掃体の上端部を挟持するホルダと、該ホルダに連結された柄棒とからなり、上記払掃体の内部には、該払掃体より腰の強い弾性板が、該払掃体の上面に設けた切り込みを通じて上記ホルダによる挟持位置よりは下方に延出した状態に挿入され、該弾性板と共に払掃体が上記ホルダに挟持されている、ことを特徴とする清掃具の考案が記載されている。
【０００３】
この清掃具は、払掃体の内部に挿入した弾性板によって該払掃体に適度の剛性が付与され、清掃時に該払掃体がホルダによる挟持位置近くにおいて急激に折れ曲がることがないため、掃き易く、使用性に優れ、払掃体を上記弾性板と共にホルダに挟持させるようにしているため、柔軟で圧縮性の大きいスポンジ製の払掃体のみをホルダに挟持させる場合に比べ、ホルダによる挟持を確実なものとすることができるものとされている。
【０００４】
この特開平８−１８７２１１号公報記載の清掃具の考案において用いられている柔軟で圧縮性の大きいスポンジ製の払掃体は、所謂連続発泡のスポンジ体である。スポンジ製の払掃体は、柔軟で圧縮性が大きいため、清掃対象面に対する追従性が良好で塵埃を掃き掃除において清掃対象面上の塵埃を逃がし難い。
【０００５】
しかしながら、払掃体を構成するスポンジ体の発泡孔は、連続発泡孔であるため、表面に多数開口し且つ内部に連続する。そのため、毛髪等の毛類を主な清掃対象とすると、表面に連続発泡孔を多数開口する払掃体に多数の毛類（特に短い毛類）が発泡孔に絡まってしまい、使用に適するとは言い難い。一旦絡まった毛類は、たとえ払掃体を水洗いしても除去し難い。水分等で清掃対象面が濡れている場合には、水分と共に毛類を連続発泡孔内に取り込んで毛類（特に短い毛類）が絡まってしまうことが生じがちであった。また、払掃体の柔軟性及び圧縮性が大きいことにより、水分等で清掃対象面が濡れている場合には、逆に清掃対象面に吸着したような状態の毛髪等の毛類や塵埃等を十分に掃き集めることは困難であった。
【先行技術文献】
【特許文献】
【０００６】
【特許文献１】特開平８−１８７２１１号公報
【考案の概要】
【考案が解決しようとする課題】
【０００７】
本考案は、従来技術に存した上記のような課題に鑑み行われたものであって、その目的とするところは、清掃対象面の凹凸によく追従し得、水分等により清掃対象面が濡れていて清掃対象面に吸着したような状態の毛髪等の毛類や塵埃等をも逃がさずに掃くことができ、毛髪等の毛類が多量に落下し、且つ濡れることも生じがちな床面の清掃に適する掃き掃除用清掃具を提供することにある。
【課題を解決するための手段】
【０００８】
上記目的を達成する本考案の掃き掃除用清掃具は、
独立発泡のゴム状材料製の板状をなす掃部と、掃部により掃き掃除を行うための把持部を有し、
前記掃部は、直線状の端縁部を、掃き掃除において清掃対象面に接する掃縁部として有することを特徴とする。
【０００９】
この掃き掃除用清掃具を使用する場合、独立発泡のゴム状材料製の板状をなす掃部における直線状の掃縁部が清掃対象面に接するようにして、その掃部により清掃対象面を掃く。
【００１０】
清掃対象面が、その上に毛髪等の毛類やその他の塵埃を有し、且つ水分等の液体により濡れている場合、毛髪等の毛類やその他の塵埃は清掃対象面に吸着されたような状態となる。
【００１１】
しかしながら、掃部が独立発泡のゴム状材料製の板状をなすので、水分等の液体や汚れをほとんど吸収せず、掃縁部の各部分が清掃対象面の凹凸によく追従し得る柔軟性を有し、水分等により清掃対象面が濡れていて清掃対象面に吸着したような状態の毛髪等の毛類や塵埃等をも逃がさずに掃くことができる腰の強さを備える。
【００１２】
従って、水分等により濡れた清掃対象面の掃き掃除に好適である。特に、理容店、美容店、ペット美容店等のように毛髪等の毛類が多量に落下し、且つ濡れることも生じがちな床面の清掃に最適である。
【００１３】
上記本考案の掃き掃除用清掃具は、掃部の側面の一方又は両方がフィルムにより被覆されているものとすることが望ましい。この場合、掃部が水分等の液体や汚れを吸収することが効果的に防がれ、掃き掃除を効率的に行うことができる。
【００１４】
上記本考案の掃き掃除用清掃具は、基部が掃部に連結された柄部を備え、その柄部に把持部を有するものとすることができる。
【００１５】
この場合、柄部の基部が、掃部の厚さ方向の回動軸線のまわりに回動し得るように掃部に連結されたものであることが好ましい。掃部の厚さ方向に直交する方向の回動軸線のまわりに回動し得るように基部が掃部に連結された柄部を備え、その柄部に把持部を有するので、掃部に対し必要に応じ柄部を回動させて角度を変化させつつ掃き掃除を効率良く行うことができる。
【００１６】
また、柄部の軸線方向は、板状をなす掃部の両側面に対し平行状をなすものであることが好ましい。この場合、柄部の把持部を把持して掃部により清掃対象面を掃く場合に作業性に優れる。
【００１７】
また上記掃き掃除用清掃具は、主として毛類を掃くためのものであることが望ましい。主として毛類を掃くという用途、特に、理容店、美容店、ペット美容店等のように毛髪等の毛類が多量に落下し、且つ濡れることも生じがちな床面の清掃に最適である。
【考案の効果】
【００１８】
本考案の掃き掃除用清掃具によれば、掃部が独立発泡のゴム状材料製の板状をなすので、水分等の液体や汚れをほとんど吸収せず、掃縁部の各部分が清掃対象面の凹凸によく追従し得る柔軟性を有し、水分等により清掃対象面が濡れていて清掃対象面に吸着したような状態の毛髪等の毛類や塵埃等をも逃がさずに掃くことができる腰の強さを備える。
【００１９】
従って、水分等により濡れた清掃対象面の掃き掃除に好適である。特に、理容店、美容店、ペット美容店等のように毛髪等の毛類が多量に落下し、且つ濡れることも生じがちな床面の清掃に最適である。
【図面の簡単な説明】
【００２０】
【図１】正面図である。
【図２】側面図である。
【考案を実施するための形態】
【００２１】
本考案の実施の形態を、図面を参照しつつ説明する。
【００２２】
図面は何れも本考案の実施の形態の一例としての主として毛類を掃くために用いられる掃き掃除用清掃具についてのものであって、図１は正面図、図２は側面図である。
【００２３】
掃き掃除用清掃具１０は、掃部１２と、掃部１２を保持する保持部１４と、保持部１４に対し基部が連結された柄部１６を有してなり、柄部１６の端部には把持部１６ａが設けられている。
【００２４】
掃部１２は、独立発泡のゴム状材料製の長方形板状をなす。掃部１２の両側面（片側面とすることもできる）はフィルム（図示せず）により被覆されている。掃部１２の直線状の下端縁部が、掃き掃除において清掃対象面に接する掃縁部１２ａである。板状とは、平板状を含むことは勿論であるが、凹凸等を有するものを除外するものではない。掃部１２は、直線状の端縁部を、掃き掃除において清掃対象面に接する掃縁部として有するであれば、必ずしも長方形板状に限らず、台形板状や、湾曲部を有する板状をなすものであってもよい。
【００２５】
掃部１２を構成するゴム状材料としては、天然ゴム、クロロプレンゴム、エチレンプロピレンゴム、ニトリルゴム、シリコンゴム等を適宜採用し得る。好適なものの例としてはクロロプレンゴムを挙げることができる。
【００２６】
掃部１２を構成する独立発泡のゴム状材料は、硬度（日本ゴム協会標準規格 SRIS 0101）が８乃至６０、２５％圧縮荷重（ASTM D1056）が３０乃至１３０ｋＰａ程度とすることができる。硬度は、好ましくは１０乃至５０、より好ましくは１５乃至４０、更に好ましくは２０乃至３０である。２５％圧縮荷重は、好ましくは４０乃至１１５ｋＰａ、より好ましくは５０乃至１０５ｋＰａ、更に好ましくは６０乃至９５ｋＰａである。
【００２７】
これにより、掃部１２が水分等の液体や汚れを吸収することが効果的に防がれ、掃き掃除をより効率的に行うことができる。
【００２８】
掃部１２の上端縁部は、保持部１４の断面略Ｕ字状の溝内に嵌合した状態で保持されている。柄部１６の基部は、保持部１４の水平方向中央部に対し、掃部１２の厚さ方向の回動軸線のまわりに回動可能なように連結されている。柄部１２の軸線方向は、板状をなす掃部１２の両側面に対し平行状をなす。なお、柄部は必ずしも掃部に対し回動可能であることを要しない。
【００２９】
この掃き掃除用清掃具１０を使用する場合、独立発泡のゴム状材料製の板状をなす掃部１２における直線状の掃縁部１２ａが清掃対象面に接するようにして、その掃部１２により清掃対象面を掃く。
【００３０】
掃部１２が独立発泡のゴム状材料製の板状をなすので、掃縁部１２ａの各部分が清掃対象面の凹凸によく追従し得る柔軟性を有し、水分等により清掃対象面が濡れていて清掃対象面に吸着したような状態の毛髪等の毛類や塵埃等をも逃がさずに掃くことができる腰の強さを備える。また、掃部１２の両側面はフィルムにより被覆されているので、掃部１２が水分等の液体や汚れを吸収することが効果的に防がれ、掃き掃除をより効率的に行うことができる。
【００３１】
従って、水分等により濡れた清掃対象面の掃き掃除に好適である。特に、理容店、美容店、ペット美容店等のように毛髪等の毛類が多量に落下し、且つ濡れることも生じがちな床面の清掃に最適である。
【００３２】
柄部１６の基部は、掃部１２の厚さ方向の回動軸線のまわりに回動可能なように連結されているので、掃部１２に対し必要に応じ柄部１６を回動させて角度を変化させつつ掃き掃除を効率良く行うことができる。
【００３３】
なお、以上の実施の形態についての記述における構成部品の寸法、個数、材質、形状、その相対配置などは、特にそれらに限定される旨の記載がない限りは、この考案の範囲をそれらのみに限定する趣旨のものではなく、単なる説明例に過ぎない。
【符号の説明】
【００３４】
１０      掃き掃除用清掃具
１２      掃部
１２ａ    掃縁部
１４      保持部
１６      柄部
１６ａ    把持部
【図１】
0003169195.tif 000003
【図２】
0003169195.tif 000004